(57)【特許請求の範囲】
【請求項１】
下方から導入された第１光ケーブルの第１光ファイバ心線と下方から導入された第２光ケーブルの第２光ファイバ心線とを接続する光ファイバ接続用クロージャにおいて、
トレイ固定ベースと、
前記トレイ固定ベースに立てた状態で回動可能に取り付けられた複数種類のファイバ収容トレイとを備え、
前記複数種類のファイバ収容トレイは、
前記第１光ケーブルの中間部分の外被を除去して露出された前記第１光ファイバ心線を収容するための心線通過トレイと、
前記第１光ファイバ心線を切断すると共に単心分離させて形成された第３光ファイバ心線と光スプリッタの入力光ファイバ心線との接続部分を収容するための第１接続トレイと、
前記光スプリッタの出力光ファイバ心線と前記第２光ファイバ心線との接続部分を前記光スプリッタと共に収容するための第２接続トレイとを有し、
前記第１接続トレイは、前記第３光ファイバ心線と前記入力光ファイバ心線との接続部分を複数分だけ収容可能であり、
前記第２接続トレイは、前記第３光ファイバ心線と前記入力光ファイバ心線との接続部分の数に対応して複数枚有し、
一枚の前記第１接続トレイと複数枚の前記第２接続トレイとが一組となって前記トレイ固定ベースに回動可能に取り付けられていると共に、前記第１接続トレイ及び前記各第２接続トレイが互いに開閉可能であり、
前記第２接続トレイの上側領域には、前記出力光ファイバ心線を収容するための上部収容部が設けられ、前記第２接続トレイの下側領域には、前記第２光ファイバ心線を収容するための下部収容部が設けられていることを特徴とする光ファイバ接続用クロージャ。
【請求項２】
前記トレイ固定ベースの両側には、異なる種類の光ファイバ心線を互いに分離させてガイドするための心線ガイド部が設けられていることを特徴とする請求項１記載の光ファイバ接続用クロージャ。
【請求項３】
請求項１または２記載の光ファイバ接続用クロージャを用意する工程と、
前記第１光ケーブルの中間部分の外被を除去して露出された前記第１光ファイバ心線を切断すると共に単心分離させて第３光ファイバ心線を形成する工程と、
前記第１光ファイバ心線を前記心線通過トレイに収容する工程と、
前記第３光ファイバ心線と前記光スプリッタの入力光ファイバ心線とを接続し、その接続部を前記第３光ファイバ心線及び前記入力光ファイバ心線と共に前記第１接続トレイに収容する工程と、
前記光スプリッタの出力光ファイバ心線と前記第２光ファイバ心線とを接続し、その接続部を前記光スプリッタ、前記出力光ファイバ心線及び前記第２光ファイバ心線と共に前記第２接続トレイに収容する工程とを含むことを特徴とする光ファイバ接続方法。
【発明の詳細な説明】
【技術分野】
【０００１】
本発明は、例えば局側光ケーブルと加入者側光ケーブルとを接続する光ファイバ接続用クロージャ及び光ファイバ接続方法に関するものである。
【背景技術】
【０００２】
従来の光ファイバ接続用クロージャとしては、例えば特許文献１に記載されているように、ベースに止着されたガイド部材と、このガイド部材にカバープレートを介して止着されたサポート部材と、このサポート部材に揺動自在に止着され、光ファイバを収容する複数枚のファイバ収容トレイとを備えたものが知られている。
【先行技術文献】
【特許文献】
【０００３】
【特許文献１】特表２０００−５０５５６７号公報
【発明の概要】
【発明が解決しようとする課題】
【０００４】
しかしながら、上記従来技術においては、心線種が異なる光ファイバ心線を同じ光ファイバ収容トレイに収容すると、それらの光ファイバ心線が光ファイバ収容トレイ内で混在することになるので、必要な光ファイバ心線のみを取り出すことが困難になる。また、心線種の違いによって光ファイバ心線自体の曲げ剛性が異なることから、場合によっては所望の光伝送特性が得られないレベルの曲げが局所的に発生することがある。
【０００５】
本発明の目的は、ファイバ収容トレイにおける心線種が異なる光ファイバ心線の混在を抑制することができる光ファイバ接続用クロージャ及び光ファイバ接続方法を提供することである。
【課題を解決するための手段】
【０００６】
本発明は、下方から導入された第１光ケーブルの第１光ファイバ心線と下方から導入された第２光ケーブルの第２光ファイバ心線とを接続する光ファイバ接続用クロージャにおいて、トレイ固定ベースと、トレイ固定ベースに立てた状態で回動可能に取り付けられた複数種類のファイバ収容トレイとを備え、複数種類のファイバ収容トレイは、第１光ケーブルの中間部分の外被を除去して露出された第１光ファイバ心線を収容するための心線通過トレイと、第１光ファイバ心線を切断すると共に単心分離させて形成された第３光ファイバ心線と光スプリッタの入力光ファイバ心線との接続部分を収容するための第１接続トレイと、光スプリッタの出力光ファイバ心線と第２光ファイバ心線との接続部分を光スプリッタと共に収容するための第２接続トレイとを有し、第１接続トレイは、第３光ファイバ心線と入力光ファイバ心線との接続部分を複数分だけ収容可能であり、第２接続トレイは、第３光ファイバ心線と入力光ファイバ心線との接続部分の数に対応して複数枚有し、一枚の第１接続トレイと複数枚の第２接続トレイとが一組となってトレイ固定ベースに回動可能に取り付けられていると共に、第１接続トレイ及び各第２接続トレイが互いに開閉可能であり、第２接続トレイの上側領域には、出力光ファイバ心線を収容するための上部収容部が設けられ、第２接続トレイの下側領域には、第２光ファイバ心線を収容するための下部収容部が設けられていることを特徴とするものである。
【０００７】
このように本発明の光ファイバ接続用クロージャにおいては、第１光ファイバ心線が心線通過トレイに収容され、第１光ファイバ心線を切断すると共に単心分離させて形成された第３光ファイバ心線及び光スプリッタの入力光ファイバ心線が第１接続トレイに収容され、光スプリッタの入力光ファイバ心線及び出力光ファイバ心線と第２光ファイバ心線とが第２接続トレイに収容されることとなる。つまり、第１接続トレイには単心の光ファイバ心線のみが収容されるため、第１接続トレイにおいて心線種が異なる光ファイバ心線が混在することは無い。また、光スプリッタの出力光ファイバ心線及び第２光ファイバ心線を同じ心線種とした場合には、例えば第２接続トレイに収容される入力光ファイバ心線の長さを短くすることで、第２接続トレイにおいて心線種が異なる光ファイバ心線が混在しにくくなる。これにより、ファイバ収容トレイにおける心線種が異なる光ファイバ心線の混在を抑制することができる。
【０００９】
例えば第１光ファイバ心線が光ファイバテープ心線である場合には、単心の第３光ファイバ心線を光ファイバテープ心線の心数分だけ第１接続トレイに収容すると共に、第２接続トレイの枚数を光ファイバテープ心線の心数分とすることにより、一組の第１接続トレイ及び各第２接続トレイを第１光ファイバ心線毎に振り分けることができる。
【００１１】
また、光スプリッタの出力光ファイバ心線及び第２光ファイバ心線が異なる心線種であっても、出力光ファイバ心線及び第２光ファイバ心線の収容領域が第２接続トレイの上下で区分けされるため、第２接続トレイにおいて両者が混在することは無い。これにより、ファイバ収容トレイにおける心線種が異なる光ファイバ心線の混在を一層抑制することができる。
【００１２】
さらに、好ましくは、トレイ固定ベースの両側には、異なる種類の光ファイバ心線を互いに分離させてガイドするための心線ガイド部が設けられている。
【００１３】
この場合には、心線種の異なる光ファイバ心線が心線ガイド部により整理された状態で配線されることとなるため、ファイバ収容トレイの外部における光ファイバ心線の輻輳を防止することができる。
【００１４】
本発明の光ファイバ接続方法は、上記の光ファイバ接続用クロージャを用意する工程と、第１光ケーブルの中間部分の外被を除去して露出された第１光ファイバ心線を切断すると共に単心分離させて第３光ファイバ心線を形成する工程と、第１光ファイバ心線を心線通過トレイに収容する工程と、第３光ファイバ心線と光スプリッタの入力光ファイバ心線とを接続し、その接続部を第３光ファイバ心線及び入力光ファイバ心線と共に第１接続トレイに収容する工程と、光スプリッタの出力光ファイバ心線と第２光ファイバ心線とを接続し、その接続部を光スプリッタ、出力光ファイバ心線及び第２光ファイバ心線と共に第２接続トレイに収容する工程とを含むことを特徴とするものである。
【００１５】
このように本発明の光ファイバ接続方法においては、上述したように、第１接続トレイには単心の光ファイバ心線のみが収容されるため、第１接続トレイにおいて心線種が異なる光ファイバ心線が混在することは無い。また、上述したように、光スプリッタの出力光ファイバ心線及び第２光ファイバ心線を同じ心線種とした場合には、例えば第２接続トレイに収容される入力光ファイバ心線の長さを短くすることで、第２接続トレイにおいて心線種が異なる光ファイバ心線が混在しにくくなる。これにより、ファイバ収容トレイにおける心線種が異なる光ファイバ心線の混在を抑制することができる。
【発明の効果】
【００１６】
本発明によれば、ファイバ収容トレイにおける心線種が異なる光ファイバ心線の混在を抑制することができる。これにより、ファイバ収容トレイから必要な種類の光ファイバ心線のみを容易に取り出すことが可能となる。また、光ファイバ心線の局所曲げが生じにくくなるため、光ファイバ心線の伝送特性を確保することが可能となる。
【図面の簡単な説明】
【００１７】
【図１】本発明に係わる光ファイバ接続用クロージャの一実施形態を示す斜視図である。
【図２】図１に示した複数種類のファイバ収容トレイがトレイ固定ベースに回動自在に取り付けられている状態を示す斜視図である。
【図３】図２に示した複数種類のファイバ収容トレイがトレイ固定ベースに回動自在に取り付けられている状態を示す平面図である。
【図４】図２に示した心線通過トレイに光ファイバ心線が収容された状態を示す図である。
【図５】図２に示した接続トレイ群の斜視図である。
【図６】図２に示した接続トレイ群の接続トレイに光スプリッタ及び光ファイバ心線が収容された状態を示す図である。
【図７】図２に示したドロップトレイに光ファイバ心線が収容された状態を示す図である。
【発明を実施するための形態】
【００１８】
以下、本発明に係わる光ファイバ接続用クロージャ及び光ファイバ接続方法の好適な実施形態について、図面を参照して詳細に説明する。
【００１９】
図１は、本発明に係わる光ファイバ接続用クロージャの一実施形態を示す斜視図である。同図において、本実施形態の光ファイバ接続用クロージャ（以下、単にクロージャ）１は、マンホール等の地下に設置され、局側の幹線主ケーブル２に内蔵された光ファイバ心線３と加入者側の分岐ケーブル４に内蔵された光ファイバ心線５及びドロップケーブル６に内蔵された光ファイバ心線７とを接続する機器である。クロージャ１は、ＰＤＳ（Passive Double Star）回線システムにおいて使用されるものである。
【００２０】
クロージャ１は、ケース（図示せず）に収容されるクロージャ本体８を備えている。クロージャ本体８には、クロージャ１の下方から導入される幹線主ケーブル２、分岐ケーブル４及びドロップケーブル６を貫通させる複数のケーブル導入穴８ａが形成されている。なお、クロージャ１内に導入された幹線主ケーブル２、分岐ケーブル４及びドロップケーブル６は、図示しない固定手段によりクロージャ本体８に固定される。
【００２１】
クロージャ本体８の上部には、トレイ固定ベース９が設けられている。トレイ固定ベース９の上面には、図２及び図３に示すように、１対の外レーン１０と１対の内レーン１１とが設けられている。外レーン１０には、複数のピン受け凹部１０ａが等ピッチで形成され、内レーン１１には、複数のピン受け凹部１１ａが等ピッチで形成されている。
【００２２】
トレイ固定ベース９には、図１〜図３に示すように、複数枚の心線通過トレイ１２と複数組の接続トレイ群１３と複数枚のドロップトレイ１４とが着脱可能に且つ立てた状態で回動可能に取り付けられている。
【００２３】
心線通過トレイ１２は、図４に示すように、幹線主ケーブル２の中間部分の外被を除去して露出された光ファイバ心線３を収容するためのファイバ収容トレイである。光ファイバ心線３は、例えば４心の光ファイバテープ心線である。心線通過トレイ１２に収容される光ファイバ心線３としては、切断せずに心線通過トレイ１２をそのまま通過させるものや、一度切断して再接続されたものが含まれる。このような光ファイバ心線３（４心光ファイバテープ心線）を切断すると共に単心分離させることで、４本の単心の光ファイバ心線１６が形成される。これらの光ファイバ心線１６は、心線通過トレイ１２から導出される。
【００２４】
心線通過トレイ１２の下端部（基端部）には、外レーン１０のピン受け凹部１０ａと係合する１対のピン１５ａを有する支持部１５が設けられている。これらのピン１５ａをピン受け凹部１０ａに嵌め込むことで、心線通過トレイ１２がトレイ固定ベース９に対して立った状態でトレイ固定ベース９の上面に沿った回転軸回りに回動可能となる。心線通過トレイ１２には、光ファイバ心線３を押さえる複数の押さえ板１８が設けられている。
【００２５】
接続トレイ群１３は、図５に示すように、１枚の接続トレイ１９及び４枚の接続トレイ２０を有する５枚一組となっている。接続トレイ１９及び各接続トレイ２０は、互いに開閉可能に連結されている。
【００２６】
接続トレイ１９は、図６（ａ）に示すように、心線通過トレイ１２から導出された光ファイバ心線１６と光スプリッタ２１（後述）の入力光ファイバ心線２２との融着接続部Ｓ１を、光ファイバ心線１６及び入力光ファイバ心線２２と共に収容するためのファイバ収容トレイである。入力光ファイバ心線２２は、単心の光ファイバ心線である。接続トレイ１９には、４本の光ファイバ心線１６と、これらの光ファイバ心線１６と接続される４本の入力光ファイバ心線２２とが収容される。
【００２７】
接続トレイ１９の下端部（基端部）には、外レーン１０のピン受け凹部１０ａと係合する１対のピン２３ａを有する支持部２３が設けられている。これらのピン２３ａをピン受け凹部１０ａに嵌め込むことで、接続トレイ群１３がトレイ固定ベース９に対して立った状態でトレイ固定ベース９の上面に沿った回転軸回りに回動可能となる。
【００２８】
接続トレイ１９の上側領域には、光ファイバ心線１６と入力光ファイバ心線２２との融着接続部Ｓ１が装着される複数（ここでは８つ）の接続部装着部２４が設けられている。また、接続トレイ１９には、光ファイバ心線１６及び入力光ファイバ心線２２を押さえる複数の押さえ板２５が設けられている。
【００２９】
接続トレイ２０は、トレイ固定ベース９に対する接続トレイ１９の回転軸（１対のピン２３ａで作られる軸）と略平行な回転軸回りに回動可能となるように接続トレイ１９の支持部２３に支持されている。これにより、接続トレイ１９及び各接続トレイ２０は、互いに開閉可能となる。
【００３０】
接続トレイ２０は、図６（ｂ）に示すように、（１×８）タイプの光スプリッタ２１と、光スプリッタ２１の出力光ファイバ心線２６と分岐ケーブル４の外被から延び出た光ファイバ心線５との融着接続部Ｓ２とを、出力光ファイバ心線２６、光ファイバ心線５及び接続トレイ２０から導出された入力光ファイバ心線２２と共に収容するためのファイバ収容トレイである。
【００３１】
（１×８）タイプの光スプリッタ２１は、１つの光信号を８つの光信号に分岐させる光分岐器である。接続トレイ２０の上端部には、光スプリッタ２１が装着されるスプリッタ装着部２７が設けられている。
【００３２】
出力光ファイバ心線２６は、例えば４心光ファイバテープ心線である。光ファイバ心線５は、単心光ファイバである。従って、接続トレイ２０には、２枚の出力光ファイバ心線２６と８本の光ファイバ心線５と２つの融着接続部Ｓ２とが収容されることとなる。なお、８本の光ファイバ心線５の一部は、切断されて接続トレイ２０から導出されることがある。
【００３３】
接続トレイ２０の上側領域には、光スプリッタ２１の出力光ファイバ心線２６を収容するための上部収容部２０ａが形成され、接続トレイ２０の下側領域には、光ファイバ心線５を収容するための下部収容部２０ｂが形成されている。
【００３４】
接続トレイ２０における上部収容部２０ａと下部収容部２０ｂとの間には、出力光ファイバ心線２６と光ファイバ心線５との融着接続部Ｓ２が装着される複数（ここでは２つ）の接続部装着部２８が設けられている。
【００３５】
接続トレイ２０には、上部収容部２０ａを形成するガイド部２９と、下部収容部２０ｂを形成するガイド部３０とが設けられている。これらのガイド部２９，３０によって、入力光ファイバ心線２２を収容するための側部収容部２０ｃが接続トレイ２０の左右両側に形成されている。
【００３６】
また、接続トレイ２０には、入力光ファイバ心線２２を押さえる複数の押さえ板３１と、出力光ファイバ心線２６を押さえる複数の押さえ板３２と、光ファイバ心線５を押さえる複数の押さえ板３３とが設けられている。
【００３７】
４枚の接続トレイ２０のうち接続トレイ１９に対して最も外側の接続トレイ２０の左右両側には、フック部３４がそれぞれ設けられている。接続トレイ１９の左右両側には、フック部３４と係合する突起部３５がそれぞれ設けられている。各フック部３４を各突起部３５に引っ掛けることで、接続トレイ１９及び各接続トレイ２０が閉じた状態に保持されるようになる。これにより、接続トレイ１９及び各接続トレイ２０は、一体となってトレイ固定ベース９の上面に沿った回転軸回りに回動可能となると共に、それぞれ個別に接続トレイ１９の回転軸と略平行な回転軸回りに互いに開閉可能となる。
【００３８】
このような接続トレイ群１３は、光ファイバ心線３の心数（４心光ファイバテープ心線）に応じて、１枚の接続トレイ１９及び４枚の接続トレイ２０で一組となっている。このため、接続トレイ群１３を光ファイバ心線３毎に振り分けることができる。従って、光ファイバ心線３の配線接続や管理が行いやすくなる。
【００３９】
ドロップトレイ１４は、図７に示すように、接続トレイ２０において切断された１本の光ファイバ心線５とドロップケーブル６の外被から延び出た光ファイバ心線７との融着接続部Ｓ３を光ファイバ心線５，７と共に収容するためのファイバ収容トレイである。
【００４０】
ドロップトレイ１４の下端部（基端部）には、内レーン１１のピン受け凹部１１ａと係合する１対のピン３６ａを有する支持部３６が設けられている。これらのピン３６ａをピン受け凹部１１ａに嵌め込むことで、ドロップトレイ１４がトレイ固定ベース９に対して立った状態でトレイ固定ベース９の上面に沿った回転軸回りに回動可能となる。
【００４１】
ドロップトレイ１４の上端部には、光ファイバ心線５，７同士の融着接続部Ｓ３が装着される複数（ここでは２つ）の接続部装着部３７が設けられている。また、ドロップトレイ１４には、光ファイバ心線５，７を押さえる複数の押さえ板３８が設けられている。
【００４２】
図１〜図３に戻り、トレイ固定ベース９の左右両側には、光ファイバ心線３，５，７，１６，２２を互いに分離させてガイドするための複数の略リング状の心線ガイド部３９がそれぞれ設けられている。各心線ガイド部３９は、光ファイバ心線３，５，７，１６，２２を心線ガイド部３９の内部空間に導くための心線導入部３９ａを有している。
【００４３】
このような心線ガイド部３９を設けることにより、光ファイバ心線３，５，７，１６，２２を心線種毎に整列させて配線することができる。これにより、心線通過トレイ１２、接続トレイ群１３及びドロップトレイ１４の外部において、光ファイバ心線３，５，７，１６，２２の輻輳を防止することができる。
【００４４】
以上のようなクロージャ１において、幹線主ケーブル２と分岐ケーブル４及びドロップケーブル６とを接続するときは、まず幹線主ケーブル２の中間部分の外被を除去して露出された光ファイバ心線３を心線通過トレイ１２に収容する。
【００４５】
また、光ファイバ心線３（４心光ファイバテープ心線）を切断・単心分離させて形成された光ファイバ心線１６と光スプリッタ２１の入力光ファイバ心線２２とを融着接続する。そして、光ファイバ心線１６と入力光ファイバ心線２２との融着接続部Ｓ１を接続トレイ１９の接続部装着部２４に装着すると共に、光ファイバ心線１６及び入力光ファイバ心線２２を接続トレイ１９に収容する。
【００４６】
また、光スプリッタ２１の出力光ファイバ心線２６と光ファイバ心線５とを融着接続する。そして、光スプリッタ２１を接続トレイ２０のスプリッタ装着部２７に装着すると共に、出力光ファイバ心線２６と光ファイバ心線５との融着接続部Ｓ２を接続部装着部２８に装着する。また、出力光ファイバ心線２６を接続トレイ２０の上部収容部２０ａに収容し、光ファイバ心線５を同下部収容部２０ｂに収容し、入力光ファイバ心線２２を同側部収容部２０ｃに収容する。
【００４７】
また、接続トレイ２０において切断された光ファイバ心線５と光ファイバ心線７とを融着接続する。そして、光ファイバ心線５，７の融着接続部Ｓ３をドロップトレイ１４の接続部装着部３７に装着すると共に、光ファイバ心線５，７をドロップトレイ１４に収容する。
【００４８】
以上により、幹線主ケーブル２の光ファイバ心線３と分岐ケーブル４の光ファイバ心線５及びドロップケーブル６の光ファイバ心線７とが光スプリッタ２１を介して接続されることとなる。
【００４９】
以上のような本実施形態にあっては、心線通過トレイ１２にテープ心線である光ファイバ心線３を収容し、接続トレイ１９に単心線である光ファイバ心線１６，２２を収容する。また、接続トレイ２０の上部収容部２０ａにテープ心線である光ファイバ心線２６を収容し、接続トレイ２０の下部収容部２０ｂに単心線である光ファイバ心線５を収容し、接続トレイ２０の側部収容部２０ｃに単心線である光ファイバ心線１６を収容する。さらに、ドロップトレイ１４に単心線である光ファイバ心線５，７を収容する。つまり、ファイバ収容トレイの一つの心線収容領域には、心線種の異なる複数の光ファイバ心線が収容されることは無い。これにより、ファイバ収容トレイにおいて心線種が異なる光ファイバ心線が混在することが抑制される。
【００５０】
従って、複数種類の光ファイバ心線の配線状態の見た目が良くなるばかりでなく、ファイバ収容トレイから必要な光ファイバ心線のみを容易に取り出すことができる。また、心線種が異なると光ファイバ心線の曲げ剛性が変わるため、光ファイバ心線の局所的な曲げが発生することがあるが、ファイバ収容トレイの一つの心線収容領域には１種類の光ファイバ心線しか収容されないため、光ファイバ心線の局所的な曲げが発生しにくくなる。これにより、光ファイバ心線の所望の光伝送特性を確保することができる。
【００５１】
なお、本発明は、上記実施形態に限定されるものではない。例えば上記実施形態では、互いに開閉可能な１枚の接続トレイ１９及び複数枚の接続トレイ２０によって一組の接続トレイ群１３を構成したが、これらの接続トレイ１９，２０を組ではなく別個独立なものとしても良い。
【００５２】
また、上記実施形態では、ドロップトレイ１４がトレイ固定ベース９の内レーン１１に着脱可能に取り付けられているが、特にそれには限られず、例えばトレイ固定ベース９に内レーン１１を設けずに、ドロップトレイ１４のサイズを大きくしても良い。また、光ケーブルの配線形態によっては、ドロップトレイ１４は無くても良い。
【００５３】
さらに、ファイバ収容トレイの構造及び光ファイバ心線収容形態等としては、特に上記実施形態のものには限られず、種々の変形が可能である。
【符号の説明】
【００５４】
１…光ファイバ接続用クロージャ、２…幹線主ケーブル（第１光ケーブル）、３…光ファイバ心線（第１光ファイバ心線）、４…分岐ケーブル（第２光ケーブル）、５…光ファイバ心線（第２光ファイバ心線）、９…トレイ固定ベース、１２…心線通過トレイ（ファイバ収容トレイ）、１３…接続トレイ群、１６…光ファイバ心線（第３光ファイバ心線）、１９…接続トレイ（第１接続トレイ、ファイバ収容トレイ）、２０…接続トレイ（第２接続トレイ、ファイバ収容トレイ）、２０ａ…上部収容部、２０ｂ…下部収容部、２１…光スプリッタ、２２…入力光ファイバ心線、２６…出力光ファイバ心線、３９…心線ガイド部、Ｓ１〜Ｓ３…融着接続部。 
【図１】
0005425875.tif 000002
【図２】
0005425875.tif 000003
【図３】
0005425875.tif 000004
【図４】
0005425875.tif 000005
【図５】
0005425875.tif 000006
【図６】
0005425875.tif 000007
【図７】
0005425875.tif 000008